(57)【特許請求の範囲】
【請求項１】
電話送受信機能を有する携帯電話機において、
ワイヤレスネットワークに参加するための近距離無線通信機能を有する近距離無線通信手段と、
衛星との通信に基づく測位機能を有する測位手段と、
ユーザーの登録操作に応じ、前記測位手段の測位機能を動作させて位置情報を取得し、該位置情報から導出される登録エリア情報をメモリに記録するエリア登録手段と、
前記近距離無線通信手段の近距離無線通信機能を動作させるべき使用状態において、前記測位手段の測位機能を動作させて位置情報を取得し、該位置情報から導出される取得エリア情報と、前記メモリに記録されている登録エリア情報とを比較し、取得エリア情報と登録エリア情報とが一致したとき、前記近距離無線通信手段の近距離無線通信機能をオンとし、その後、該近距離無線通信手段による通信中にエラーが発生したとき、前記位置情報から導出される取得エリア情報と、前記メモリに記録されている登録エリア情報とを比較し、取得エリア情報と登録エリア情報とが一致したときは、近距離無線通信手段による通信をリトライし、取得エリア情報と登録エリア情報とが一致しないときは、前記近距離無線通信手段の近距離無線通信機能をオフとする通信機能オン／オフ手段
とを具えていることを特徴とする携帯電話機。
【発明の詳細な説明】
【０００１】
【発明の属する技術分野】
本発明は携帯電話機に関し、特に、ワイヤレスネットワークに参加するための近距離無線通信機能と、衛星及び／又は地上基地局との通信に基づく測位機能とを有する携帯電話機に関するものである。
【０００２】
【従来の技術】
近年、“Ｂｌｕｅｔｏｏｔｈ”(Ericsson社の商標)と称される近距離無線通信インターフェースが注目されており、Ｂｌｕｅｔｏｏｔｈによれば、携帯電話機、パーソナルコンピュータ、デジタルカメラ等の電子機器を無線で接続して、ワイヤレスネットワークを構築することが可能である。
この様なワイヤレスネットワークにおいては、周波数ホッピング方式による通信によって、１台のマスタ機器と７台のスレーブ機器が同時に通信することが可能であり、この様なネットワークをピコネットと呼んでいる。マスタ機器としては、通常、パーソナルコンピュータ等の据え置き型の電子機器が選ばれ、該マスタ機器から１０ｍ又は１００ｍの範囲内で機器間の通信が可能となる。
【０００３】
例えば、携帯電話機にＢｌｕｅｔｏｏｔｈ通信機能を組み込むことによって、携帯電話機からテレビジョン受像機を操作し、或いは、マイクロホンとヘッドホンを具えたヘッドセットから携帯電話機を経由して通話を行なう等、携帯電話機の用途が大きく拡がることになる。
尚、携帯電話機をピコネットに参加させるためには、Ｂｌｕｅｔｏｏｔｈ通信機能をオンとするためのキー操作を行なう必要があり、携帯電話機をピコネットから脱退させるときにも、Ｂｌｕｅｔｏｏｔｈ通信機能をオフとするためのキー操作を行なう必要がある。
【０００４】
【発明が解決しようとする課題】
しかしながら、ピコネットの設置エリアに入ったときにＢｌｕｅｔｏｏｔｈ通信機能をオフとし、ピコネットの設置エリアから離れたときにＢｌｕｅｔｏｏｔｈ通信機能をオフとするキー操作が極めて煩雑であるばかりでなく、ユーザーがＢｌｕｅｔｏｏｔｈ通信機能をオフとするキー操作を忘れたまま、ピコネットの設置エリアから離れた場合、携帯電話機はネットワークをサーチする動作を継続するため、無駄な電力消費を生じる問題がある。
本発明の目的は、Ｂｌｕｅｔｏｏｔｈ等の近距離無線通信機能を有する携帯電話機において、ネットワークの設置エリアから離れることに伴って、近距離無線通信機能を自動的にオンからオフとすることが出来る携帯電話機を提供することである。
【０００５】
【課題を解決する為の手段】
そこで本発明においては、カーナビゲーションシステムで実用化されているＧＰＳ(Global  Positioning  System)等の測位機能を携帯電話機に導入することによって、上記目的を達成した。
即ち、本発明に係る携帯電話機は、
ワイヤレスネットワークに参加するための近距離無線通信機能を有する近距離無線通信手段と、
衛星との通信に基づく測位機能を有する測位手段と、
ユーザーの登録操作に応じ、前記測位手段の測位機能を動作させて位置情報を取得し、該位置情報から導出される登録エリア情報をメモリに記録するエリア登録手段と、
前記近距離無線通信手段の近距離無線通信機能を動作させるべき使用状態において、前記測位手段の測位機能を動作させて位置情報を取得し、該位置情報から導出される取得エリア情報と、前記メモリに記録されている登録エリア情報とを比較し、取得エリア情報と登録エリア情報とが一致したとき、前記近距離無線通信手段の近距離無線通信機能をオンとし、その後、該近距離無線通信手段による通信中にエラーが発生したとき、前記位置情報から導出される取得エリア情報と、前記メモリに記録されている登録エリア情報とを比較し、取得エリア情報と登録エリア情報とが一致したときは、近距離無線通信手段による通信をリトライし、取得エリア情報と登録エリア情報とが一致しないときは、前記近距離無線通信手段の近距離無線通信機能をオフとする通信機能オン／オフ手段
とを具えている。
【０００６】
上記本発明の携帯電話機においては、予め、測位機能を利用して近距離無線通信機能をオンとすべき１或いは複数のエリアを登録しておく。ここで、エリア登録手段は、ユーザーの登録操作に応じ、測位機能を動作させて位置情報を取得し、該位置情報から導出される登録エリア情報をメモリに記録する。該登録エリア情報は、ワイヤレスネットワークの通信可能エリアの座標データを含んでいる。
【０００７】
その後、必要に応じて近距離無線通信機能を動作させる使用状態においては、測位機能を動作させて、常に携帯電話機の位置情報を取得する。そして、該位置情報から導出される取得エリア情報と、メモリに記録されている登録エリア情報とを比較し、取得エリア情報と登録エリア情報とが一致したとき、近距離無線通信機能をオンとする。又、取得エリア情報と登録エリア情報とが一致しないときは、近距離無線通信機能をオフとする。ここで、取得エリア情報と登録エリア情報の一致／不一致の判断は、座標データの完全一致に限らず、一部重複で一致とみなすことも可能である。
尚、近距離無線通信機能による通信にエラーが発生したときに、前記比較を行って、取得エリア情報と登録エリア情報とが一致しないとき、近距離無線通信機能をオフとすることも可能である。
【０００８】
【発明の効果】
本発明に係る携帯電話機によれば、ネットワークの設置エリアから離れることに伴って、近距離無線通信機能を自動的にオンからオフとすることが出来るので、ユーザーの操作は不要であり、電力の浪費を生じることもない。
【０００９】
【発明の実施の形態】
以下、本発明の実施の形態につき、図面に沿って具体的に説明する。
本発明に係る携帯電話機には、図１に示す如く、携帯電話アンテナ(３)を具えた携帯電話送受信回路(４)が装備されると共に、ＧＰＳアンテナ(１)を具えたＧＰＳ受信回路(２)と、Ｂｌｕｅｔｏｏｔｈアンテナ(５)を具えたＢｌｕｅｔｏｏｔｈＲＦ送受信回路(６)とが装備されており、ＢｌｕｅｔｏｏｔｈＲＦ送受信回路(６)には、Ｂｌｕｅｔｏｏｔｈ制御回路(７)が接続されている。
又、ＧＰＳ受信回路(２)、携帯電話送受信回路(４)及びＢｌｕｅｔｏｏｔｈ制御回路(７)は、ＣＰＵ(８)によってそれぞれの動作が制御されており、ＣＰＵ(８)には、演算処理に利用すべきメモリ(９)が接続されている。
【００１０】
上記携帯電話機は、携帯電話送受信回路(４)によって通常の電話送受信機能を発揮すると共に、ピコネットを構成する１台のスレーブ機器となって、マスタ機器や他のスレーブ機器との間でＢｌｕｅｔｏｏｔｈ通信機能を発揮する。更に、Ｂｌｕｅｔｏｏｔｈ通信機能を自動的にオン／オフするために、ＧＰＳ受信回路(２)による測位機能を発揮する。
【００１１】
上記携帯電話機においては、予め、ＧＰＳ受信回路(２)を利用してＢｌｕｅｔｏｏｔｈ通信機能をオンとすべき１或いは複数のエリアを登録しておく。この際、ユーザーは、携帯電話機を登録したい位置に持っていった状態で、所定の登録操作を行なう。
図２は、エリア登録時にＣＰＵ(８)が実行する手続きを表わしている。先ずステップＳ１にて、ユーザーの登録操作を認識すると、ステップＳ２にて、ＧＰＳ受信回路(２)から位置情報を取得し、ステップＳ３では、取得した位置情報から導出される登録エリア情報をメモリ(９)に記録する。ここで、登録エリア情報としては、取得位置情報に含まれる座標データをそのまま設定し、或いは該座標データの位置を中心とする円形エリアの座標データを設定することが出来る。これによって、登録エリア情報には、ピコネットの設置エリアを特定するための情報が含まれることになる。
尚、前記位置情報は、ＧＰＳ受信回路(２)による複数回の測位データを平均して算出することが望ましい。
【００１２】
その後、Ｂｌｕｅｔｏｏｔｈ通信機能の使用状態においては、メモリ(９)に登録されている登録エリア情報に基づいて、Ｂｌｕｅｔｏｏｔｈ通信機能を自動的にオン／オフする。
図３は、Ｂｌｕｅｔｏｏｔｈ通信機能を自動的にオン／オフするためにＣＰＵ(８)が実行する手続きを表わしている。先ず、ステップＳ１１にて、ＧＰＳ受信回路(２)から位置情報を取得し、ステップＳ１２では、取得した位置情報から導出される取得エリア情報と、メモリ(９)に記録されている登録エリア情報とを比較し、取得エリア情報と登録エリア情報とが一致しているかどうかを判断する。ここで、取得エリア情報としては、取得位置情報に含まれる座標データをそのまま設定し、或いは該座標データの位置を中心とする円形エリアの座標データを設定することが出来る。これによって、取得エリア情報には、携帯電話機の現在位置を特定するための情報が含まれることになる。
ステップＳ１２にて不一致と判断されたときは、携帯電話機がピコネットの設置エリアに入っていないので、ステップＳ１１に戻って位置情報の取得及びエリア情報の比較を繰り返す。
【００１３】
そして、ステップＳ１２にて一致と判断されたときは、携帯電話機がピコネットの設置エリアに入ったので、ステップＳ１３に移行して、Ｂｌｕｅｔｏｏｔｈ制御回路(７)及びＢｌｕｅｔｏｏｔｈＲＦ送受信回路(６)をオンとする。続いてステップＳ１４にてピコネットに参加し、ステップＳ１５にてＢｌｕｅｔｏｏｔｈ通信を開始する。
その後、ステップＳ１６にて通信エラーが発生したかどうかを判断し、通信エラーなしと判断されたときは、ステップＳ１５に戻って、Ｂｌｕｅｔｏｏｔｈ通信を継続する。
【００１４】
これに対し、ステップＳ１６にて通信エラー発生と判断されたときは、携帯電話機がピコネットの設置エリアから離れた可能性があるので、ステップＳ１７に移行して、取得エリア情報と登録エリア情報とを比較し、取得エリア情報と登録エリア情報とが一致しているかどうかを判断する。ここで一致と判断されたときは、ステップＳ１５に戻って、Ｂｌｕｅｔｏｏｔｈ通信をリトライする。
【００１５】
一方、ステップＳ１７にて不一致と判断されたときは、携帯電話機がピコネットの設置エリアから離れたものとして、ステップＳ１８にて、Ｂｌｕｅｔｏｏｔｈ制御回路(７)及びＢｌｕｅｔｏｏｔｈＲＦ送受信回路(６)をオフとする。その後、ステップＳ１１に戻って、位置情報の取得、取得エリア情報と登録エリア情報の比較、Ｂｌｕｅｔｏｏｔｈ通信機能のオン／オフを繰り返す。
尚、取得エリア情報と登録エリア情報の一致／不一致の判断においては、座標データの完全な一致を判断する方法に限らず、一部重複で一致とみなすことも可能である。
【００１６】
本発明に係る携帯電話機によれば、ピコネットの設置エリアに入ることに伴って、Ｂｌｕｅｔｏｏｔｈ通信機能を自動的にオンとし、ピコネットの設置エリアから離れることに伴って、Ｂｌｕｅｔｏｏｔｈ通信機能を自動的にオフとすることが出来るので、ユーザーの操作は不要であり、然も電力の浪費を生じることはない。
【００１７】
尚、本発明の各部構成は上記実施の形態に限らず、特許請求の範囲に記載の技術的範囲内で種々の変形が可能である。例えば、Ｂｌｕｅｔｏｏｔｈに代えて、ＩＥＥＥ８０２.１１ｂ等、周知の種々の近距離無線通信機能を用いることが可能である。又、ＧＰＳに代えて、地上基地局との通信に基づいて測位機能を発揮するもの等、周知の種々の測位機能を用いることが可能である。
更に又、近距離無線通信機能を強制的にオン／オフすることが出来るモードを設け、該強制オン／オフモードを上述の自動オン／オフモードよりも優先させる構成を採用することも可能である。
【図面の簡単な説明】
【図１】本発明に係る携帯電話機の構成を表わすブロック図である。
【図２】エリア登録時にＣＰＵが実行する手続きを表わすフローチャートである。
【図３】Ｂｌｕｅｔｏｏｔｈ通信機能を自動的にオン／オフするためにＣＰＵが実行する手続きを表わすフローチャートである。
【符号の説明】
(１)  ＧＰＳアンテナ
(２)  ＧＰＳ受信回路
(３)  携帯電話アンテナ
(４)  携帯電話送受信回路
(５)  Ｂｌｕｅｔｏｏｔｈアンテナ
(６)  ＢｌｕｅｔｏｏｔｈＲＦ送受信回路
(７)  Ｂｌｕｅｔｏｏｔｈ制御回路
(８)  ＣＰＵ
(９)  メモリ
【図１】
0003863728.tif 000002
【図２】
0003863728.tif 000003
【図３】
0003863728.tif 000004